(57)【要約】      （修正有）【課題】制動装置及び順を追って、枢設する下部受け骨と、補助骨と、連稈と、元親骨と、先親骨と、を備え、容易に開閉できる傘の骨を提供する。【解決手段】制動裝置はスライドブッシング７１と、作動棒７２とを有し、スライドブッシング７１に貫通穴と、枢接穴とを装着し、元親骨４をスライドブッシング７１の貫通穴に穿設する。作動棒７２の両端はそれぞれ下部受け骨６と、先親骨５とを枢接され、作動棒７２に制動部を湾設し、制動部をスライドブッシング７１の枢接穴に穿設する。傘の骨を開ける又は閉める時に、制動装置のスライドブッシング７１が元親骨４に沿って往復に移動することによって、傘の骨を開ける又は閉める時の抵抗力が軽減されると共に、滞る問題を克服され、傘の骨の開け閉め操作がより順調に行える。【選択図】図１
0003189675.tif 000002
【実用新案登録請求の範囲】
【請求項１】
中棒と、前記中棒に枢接する上ろくろと、下ろくろとを備え、容易に開閉できる傘の骨であって、
前記上ろくろは補助骨と、連稈と、元親骨と、先親骨と順を追って枢接され、前記下ろくろは、前記下受け骨に枢接し、前記下受け骨は前記下ろくろの遠端にて、元親骨に枢接され、
前記先親骨は、元親骨の枢接に用いるだぼに接続され、前記元親骨の下方側は、制動装置を設けられ、前記制動装置はスライドブッシングと、作動棒とを有し、前記作動棒に制動部を湾設され、前記作動棒の両端部はそれぞれ前記下部受け骨と前記先親骨の前記だぼに枢接され、前記スライドブッシングに貫通穴と、枢接穴とを開けられ、前記作動棒の制動部は前記スライドブッシングの前記枢接穴に穿設され、使用するときは、前記中棒の前記下ろくろを押し上げて、前記制動装置の前記スライドブッシングを連動させ、前記元親骨に沿って往復に移動されることを特徴とする、容易に開閉できる傘の骨。
【請求項２】
前記制動装置の前記スライドブッシングの前記枢接穴は、前記貫通穴に垂直していることを特長とする、請求項１記載の容易に開閉できる傘の骨。
【考案の詳細な説明】
【技術分野】
【０００１】
本考案は、容易に開け閉めできる傘の骨に関し、特に傘具に適用すれば、傘具を開けるまたは閉めるときに滞ることなく、より順調に操作できる容易に開け閉めできる傘の骨に関する。
【背景技術】
【０００２】
従来は、折り畳み傘を多段に折り畳んで閉めた後の体積を軽減するために、枢接していた公知傘の骨を折り畳む方法が使用されている。公知傘の骨は連稈によって、多段式の受け骨を連動させながら、折り畳み傘の開け閉めが行われる。
【考案の概要】
【考案が解決しようとする課題】
【０００３】
しかし、多段式の受け骨の開け閉めを作用させるには、連稈と公知の受け骨との間に適切な距離を設ける必要があった。このようなやり方では、傘本体を閉めるときに、隣接した公知傘の骨が誤ってその間に入っていて、傘の骨を損傷してしまう問題を残る。さらに、公知傘の骨の構造が複雑なため、傘の骨同士が干渉し易いことから、従来の折り畳み傘を開けるまたは閉めるときに引っ掛かる問題を発生し、不適切な力の入れ方によって、傘の骨が曲がったり折ってしまったり、順調に操作できなくなり、その使用が便利とは言えない。
【課題を解決するための手段】
【０００４】
本考案の目的は、傘の骨の開け閉めをよりスムーズに行えることができ、操作の利便性及び耐用性の向上を図ることにある。
【０００５】
前述目的を達成するため、本考案の容易に開閉できる傘の骨は、中棒及び中棒に枢接する上ろくろと、下ろくろとを含む。上ろくろは順を追って、補助骨と、連稈と、元親骨と、先親骨とを枢接していて、下ろくろは下部受け骨と枢接している。下部受け骨は下ろくろを離れる場所に親骨と枢接される。先親骨は、元親骨に枢接される制動具に接続されている。元親骨の下方側に制動装置を設けられ、制動装置はスライドブッシングと、作動棒とを有する。作動棒の両端はそれぞれ下部受け骨と、先親骨に枢接していて、かつ作動棒は制動部を湾設されている。スライドブッシングに貫通穴と、枢接穴とを開けられ、元親骨をスライドブッシングの貫通穴に穿設し、作動棒の制動部をスライドブッシングの枢接穴に穿設する。中棒の下ろくろを押し上げて、制動装置のスライドブッシングを元親骨に沿って往復に移動させながら、傘の骨を開け閉めるときの抵抗力を軽減させ、よりスムーズに操作することができる。
【図面の簡単な説明】
【０００６】
【図１】本考案の側視図である。
【図２】本考案のスライドブッシングの立体図である。
【図３】本考案の構成品の局所の立体図である。
【図４】本考案の傘の骨を開いたときの概略図である。
【考案を実施するための形態】
【０００７】
以下、添付図面を参照して本校案の実施の形態を詳細に説明する。
【実施例】
【０００８】
図１ないし３を参照する。図から明かのように、本考案の容易に開閉できる傘の骨１０は、中棒１と、補助骨２と、連稈３と、元親骨４と、先親骨５と、下部受け骨６と、制動装置７と、を備える。
【０００９】
そのうち、中棒１の上下側は、上ろくろ１１と、下ろくろ１２と、を枢接されている。
【００１０】
補助骨２は第１枢接部２１を設けられている。元親骨４の一端は枢接具４１に接続していて、他端は第４枢接部４２を有し、枢接具４１の両側はそれぞれ第２枢接部４１１と第３枢接部４１２とを有する。連稈３の両端を補助骨２の第１枢接部２１と、元親骨４の第３枢接部４１２に枢接する。先親骨５はだぼ５１に接続され、だぼ５１の一側を元親骨４の第４枢接部４２に枢接し、他側は第５枢接部５１１を設けられている。下部受け骨６の両端部はそれぞれ中棒１の下ろくろ１２と、元親骨４の第２枢接部４１１に枢接する。下部受け骨６は第６枢接部６１と第７枢接部６２とを有する。補助骨２の一端は下部受け骨６の第７枢接部６２に枢接し、他端は中棒１の上ろくろ１１に枢接する。補助骨２と、連稈３と、元親骨４と、先親骨５は、順を追って枢接されている。
【００１１】
制動装置７は元親骨４の下方側に取り付けられている。スライドブッシング７１と、作動棒７２とを有する。作動棒７２の両端はそれぞれ下部受け骨６の第６枢接部６１と、だぼ５１の第５枢接部５１１に枢接していて、かつ作動棒７２に制動部７２１を湾設されている。スライドブッシング７１に、貫通穴７１１と、枢接穴７１２とを開けられ、元親骨４をスライドブッシング７１の貫通穴７１１に穿設する。作動棒７２の制動部７２１をスライドブッシング７１の枢接穴７１２穿設する。本好ましい実施例において、貫通穴７１１が枢接穴７１２に垂直しているため、作動棒７２の制動部７２１と、枢接穴７１２の働きによって、スライドブッシング７１を元親骨４に沿って往復に移動させることができる。
【００１２】
図３と、図４とを参照する。図から明かのように、本考案の容易に開閉できる傘の骨１０を開けるときは、下ろくろ１２を中棒１の上方に移動し、下部受け骨６を連動させ、補助骨２と、連稈３と、元親骨４と、先親骨５と、を外部に開かせる。制動装置７の制動部７２１と、枢接穴７１２から形成する抵抗力及び対向位置によって、スライドブッシング７１はずれることなく、スライドブッシング７１をスムーズに元親骨４を沿って、内側に移動して、傘の骨１０をスムーズに開くことができる。傘の骨１０を閉めるときに、下ろくろ１２を中棒１の下方に移動して、下部受け骨６を連動させ、補助骨２と、連稈３と、元親骨４と、先親骨５と、を内側に閉合させる。制動装置７の制動部７２１と、枢接穴７１２から形成する抵抗力及び対向位置によって、スライドブッシング７１はずれることなく、スライドブッシング７１をスムーズに元親骨４を沿って、外側に移動して、傘の骨１０をスムーズに閉めることができる。
【００１３】
本考案の主な技術特徴は、制動装置７のスライドブッシング７１を元親骨４に沿って移動させ、傘の骨１０を開け閉めるときに、干渉を発生せず、スムーズ操作の目的を実現すると共に耐用性を向上できる。
【符号の説明】
【００１４】
１０       傘の骨
１           中棒
１１       上ろくろ
１２       下ろくろ
２           補助骨
２１       第１枢接部
３           連稈
４           元親骨
４１       枢接具
４１１   第２枢接部
４１２   第３枢接部
４２       第４枢接部
５           先親骨
５１       だぼ
５１１   第５枢接部
６           下部受け骨
６１       第６枢接部
６２       第７枢接部
７           制動装置
７１       スライドブッシング
７１１   貫通穴
７１２   枢接穴
７２       作動棒
７２１   制動部
【図１】
0003189675.tif 000003
【図２】
0003189675.tif 000004
【図３】
0003189675.tif 000005
【図４】
0003189675.tif 000006